(57)【特許請求の範囲】
【請求項１】
無線通信システムにおける物理ダウンリンク制御チャンネルを受信する方法であって、
物理ダウンリンク制御チャンネルを受信するステップと、
前記受信した物理ダウンリンク制御チャンネルを復号化するステップと、
前記受信した物理ダウンリンク制御チャンネルに含まれたスケジューリングタイプを指示するスケジューリング情報を用いてスケジューリングタイプを判定するステップと、
前記判定されたスケジューリングタイプによってデータチャンネルのためのスケジューリング情報を獲得するステップと、
を有し、
前記スケジューリングタイプは非持続的スケジューリング又は持続的スケジューリングであることを特徴とする方法。
【請求項２】
前記スケジューリング情報は、前記データチャンネルに対するリソースを指示するリソース情報と、前記データチャンネルの変調及び符号化方式(ＭＣＳ)とＨＡＲＱ情報とを含むことを特徴とする請求項１に記載の方法。
【請求項３】
前記獲得されたスケジューリング情報を用いて前記データチャンネルを受信するステップと、
前記判定されたスケジューリングタイプによって前記データチャンネルに対してＡＣＫ/ＮＡＣＫを送信するステップと、
をさらに有することを特徴とする請求項１又は２に記載の方法。
【請求項４】
前記ＡＣＫ/ＮＡＣＫを送信するステップは、
前記スケジューリングタイプが非持続的スケジューリングである場合、制御チャンネル要素(ＣＣＥ)インデックスに基づいて前記ＡＣＫ/ＮＡＣＫを送信し、
前記スケジューリングタイプが持続的スケジューリングである場合、上位階層により構成される情報に基づいて前記ＡＣＫ/ＮＡＣＫを送信することを特徴とする請求項３に記載の方法。
【請求項５】
無線通信システムにおける物理ダウンリンク制御チャンネルを受信する装置であって、
物理ダウンリンク制御チャンネルを受信する受信器と、
前記受信した物理ダウンリンク制御チャンネルを復号化し、前記受信した物理ダウンリンク制御チャンネルに含まれたスケジューリングタイプを指示するスケジューリング情報を用いてスケジューリングタイプを判定し、前記判定されたスケジューリングタイプによってデータチャンネルのためのスケジューリング情報を獲得するデコーダと、
を含み、
前記スケジューリングタイプは非持続的スケジューリング又は持続的スケジューリングであることを特徴とする装置。
【請求項６】
前記スケジューリング情報は、前記データチャンネルに対するリソースを指示するリソース情報と、前記データチャンネルの変調及び符号化方式(ＭＣＳ)とＨＡＲＱ情報を含むことを特徴とする請求項５に記載の装置。
【請求項７】
前記受信器は前記獲得されたスケジューリング情報を用いて前記データチャンネルを受信し、
前記判定されたスケジューリングタイプによって前記データチャンネルに対してＡＣＫ/ＮＡＣＫを送信する送信器をさらに含むことを特徴とする請求項５又は６に記載の装置。
【請求項８】
前記送信器は、
前記スケジューリングタイプが非持続的スケジューリングである場合、制御チャンネル要素(ＣＣＥ)インデックスに基づいて前記ＡＣＫ/ＮＡＣＫを送信し、
前記スケジューリングタイプが持続的スケジューリングである場合、上位階層により構成される情報に基づいて前記ＡＣＫ/ＮＡＣＫを送信することを特徴とする請求項７に記載の装置。
【請求項９】
無線通信システムにおける物理ダウンリンク制御チャンネルを送信する方法であって、
物理ダウンリンク制御チャンネルを送信するステップを有し、
前記物理ダウンリンク制御チャンネルは、スケジューリングタイプを指示するスケジューリング情報とデータチャンネルに対するスケジューリング情報を含み、
前記スケジューリングタイプを指示するスケジューリング情報は前記物理ダウンリンク制御チャンネルを復号化するために使用され、
前記スケジューリングタイプは非持続的スケジューリング又は持続的スケジューリングであることを特徴とする方法。
【請求項１０】
前記スケジューリング情報は、前記データチャンネルに対するリソースを指示するリソース情報と、前記データチャンネルの変調及び符号化方式(ＭＣＳ)とＨＡＲＱ情報とを含むことを特徴とする請求項９に記載の方法。
【請求項１１】
前記スケジューリング情報を用いて前記データチャンネルを送信するステップと、
前記スケジューリングタイプによって前記データチャンネルからＡＣＫ/ＮＡＣＫを受信するステップをさらに有することを特徴とする請求項９又は１０に記載の方法。
【請求項１２】
前記ＡＣＫ/ＮＡＣＫを受信するステップは、
前記スケジューリングタイプが非持続的スケジューリングである場合、制御チャンネル要素(ＣＣＥ)インデックスに基づいて前記ＡＣＫ/ＮＡＣＫを受信し、
前記スケジューリングタイプが持続的スケジューリングである場合、上位階層により構成される情報に基づいて前記ＡＣＫ/ＮＡＣＫを受信することを特徴とする請求項１１に記載の方法。
【請求項１３】
無線通信システムにおける物理ダウンリンク制御チャンネルを送信する装置であって、
物理ダウンリンク制御チャンネルを送信する送信器を含み、
前記物理ダウンリンク制御チャンネルは、スケジューリングタイプを指示するスケジューリング情報とデータチャンネルに関するスケジューリング情報を含み、
前記スケジューリングタイプを指示するスケジューリング情報は前記物理ダウンリンク制御チャンネルを復号化するために使用され、
前記スケジューリングタイプは非持続的スケジューリング又は持続的スケジューリングであることを特徴とする装置。
【請求項１４】
前記スケジューリング情報は、前記データチャンネルに対するリソースを指示するリソース情報と、前記データチャンネルの変調及び符号化方式(ＭＣＳ)とＨＡＲＱ情報とを含むことを特徴とする請求項１３に記載の装置。
【請求項１５】
前記送信器は前記スケジューリング情報を用いて前記データチャンネルを送信し、
前記スケジューリングタイプによって前記データチャンネルからＡＣＫ/ＮＡＣＫを受信する受信器をさらに含むことを特徴とする請求項１３又は１４に記載の装置。
【請求項１６】
前記受信器は、
前記スケジューリングタイプが非持続的スケジューリングである場合、制御チャンネル要素(ＣＣＥ)インデックスに基づいて前記ＡＣＫ/ＮＡＣＫを受信し、
前記スケジューリングタイプが持続的スケジューリングである場合、上位階層により構成される情報に基づいて前記ＡＣＫ/ＮＡＣＫを受信することを特徴とする請求項１５に記載の装置。
【発明の詳細な説明】
【技術分野】
【０００１】
本発明は無線通信システムに関するもので、特にハイブリッド自動再送要求(Hybrid  Automatic  Repeat  reQuest：以下、“ＨＡＲＱ”と称する)のための肯定応答／否定応答(Acknowledgement／Negative  Acknowledgement：以下、“ＡＣＫ／ＮＡＣＫ”と称する)を送受信する方法及び装置に関する。
【背景技術】
【０００２】
データ伝送システムの主な誤り制御方式では、ＦＥＣ(Forward  Error  Correction)とＡＲＱ(Automatic  Repeat  reQuest)の２つの方式がある。ＦＥＣシステムは、受信されたデータの誤り訂正を図る。誤り訂正が成功した場合には、正しいデータが復号される。誤り訂正が失敗した場合には、間違ったデータがユーザーに提供され、あるいはそのデータが失われる。ＡＲＱシステムにおいて、送信器は、受信されたデータから誤りが検出されると、良い誤り訂正能力でＦＥＣコードを用いてデータを伝送し、受信器は送信器に再伝送を要求する。
【０００３】
ＦＥＣは、良いチャンネル環境で相対的に低い効率を有しており、誤り訂正が失敗した場合には、システムの信頼度が低下するようになる。一方、ＡＲＱは、システムの高い信頼度及び低い冗長性(redundancy)を有する効率的な伝送の長所があるが、悪いチャンネル環境で頻繁な再伝送が要求されるため、システムの信頼度が大きく低下する。このような短所を克服するために、ＨＡＲＱは、適切な方法でＦＥＣ及びＡＲＱを組み合わせることで提案される。
【０００４】
ＨＡＲＱは、受信された符号化データ(ＨＡＲＱパケット)の誤り訂正を試みる方式である。ＨＡＲＱパケットの再伝送を要求するか否かは、ＣＲＣ(Cyclic  Redundancy  Check）のような簡単な誤り検出符号から決定される。受信されたＨＡＲＱパケットで誤りの存在有無を判断した後に、受信器は、送信器にＡＣＫ又はＮＡＣＫをフィードバックする。送信器は、このＡＣＫ又はＮＡＣＫによって、ＨＡＲＱパケットを再伝送するか、あるいは新たなＨＡＲＱパケットを伝送する。
【０００５】
受信器は、ＡＣＫ／ＮＡＣＫ送信のために適切な無線(radio)リソースを使用する。ＡＣＫ／ＮＡＣＫは、ＯＦＤＭ(Orthogonal  Frequency  Division  Multiplexing)無線通信システムで数個の副搬送波を通じて伝送され、ＷＣＤＭＡ(Wideband  Code  Division  Multiple  Access)システムでは所定の符号チャンネルを通じて伝送される。一般的に、ＨＡＲＱパケットは、一つの伝送時間間隔(Transmission  Time  Interval：以下、“ＴＴＩ”と称する)に対して、複数のユーザーに同時に伝送される。したがって、ＡＣＫ／ＮＡＣＫも、ＨＡＲＱパケットに対して同時に伝送される。
【０００６】
基地局(Ｎｏｄｅ  Ｂ)がユーザー端末(ＵＥ)にダウンリンクデータチャンネルを割り当てる場合に、ＵＥは、ダウンリンクデータチャンネルに対してＡＣＫ／ＮＡＣＫを伝送するための制御チャンネルリソースを割り当てる。アップリンクデータ伝送の場合、Ｎｏｄｅ  Ｂは、アップリンクデータチャンネルを介してＵＥからアップリンクパケットデータを受信した後に、Ｎｏｄｅ  ＢとＵＥとの間で約束されたリソースでパケットデータに対するＡＣＫ／ＮＡＣＫを伝送する。
【０００７】
一般に、制限されたリソースは、システムで使用可能であり、このシステムリソースは、データチャンネルとＡＣＫ／ＮＡＣＫチャンネル(ＡＣＫＣＨ)を含むチャンネルに対して適切に配分されなければならない。そのため、ＡＣＫＣＨに与えられたＴＴＩに必要な程度のリソースを割り当てることが重要である。このリソース割り当てを説明するために、その一例として、図１にＥＵＴＲＡ(Enhanced  Universal  Terrestrial  Radio  Access)-ＯＦＤＭダウンリンクフレーム構造を示す。ＵＴＲＡは、３ＧＰＰ(3rd  Generation Partnership Project)の次世代移動通信標準である。
【０００８】
図１を参照すると、システム帯域幅１０１は１０ＭＨｚであり、このシステム帯域幅１０１内にすべて５０個のリソースブロック(ＲＢ)１０２が定義される。各ＲＢ１０２は、１２個の副搬送波(subcarrier)１０３を含み、１ｍｓのＴＴＩ１０５は、１４個のＯＦＤＭシンボル間隔１０４を有する。一つのダウンリンクデータチャンネルは、一つ以上のＲＢで形成されることができる。
【０００９】
図１のダウンリンクフレーム構造では、最大５０個のダウンリンクデータチャンネルが、一つのＴＴＩ１０５で同時にスケジューリングされることができる。したがって、最大５０個のアップリンクＡＣＫＣＨが必要である。しかしながら、実際には、１０又は２０個のデータチャンネルが平均的に一つのＴＴＩでスケジューリングされ、このデータチャンネルと同じ数だけのアップリンクＡＣＫＣＨが必要である。使用可能なＡＣＫＣＨの個数が実際に使用されたＡＣＫＣＨの平均個数と非常に異なるため、効率的なリソース割り当てが重要である。
【００１０】
Ｎｏｄｅ  Ｂが、ＴＴＩごとに各データチャンネルに対して設定されたＡＣＫＣＨをＵＥに明示的に(explicitly)通知される場合に、必要な数だけのＡＣＫＣＨのみがＴＴＩで割り当てられることができる。このように、ダウンリンクデータ伝送の場合、ＵＥは、通知されたＡＣＫ／ＮＡＣＫリソースでＡＣＫ／ＮＡＣＫを伝送する。アップリンクデータ伝送の場合、ＵＥは、Ｎｏｄｅ  ＢによってシグナリングされたＡＣＫ／ＮＡＣＫリソースからＮｏｄｅ  Ｂによって伝送されるＡＣＫ／ＮＡＣＫを検出する。そのため、シグナリングに対するリソースの量、すなわちシグナリングオーバーヘッドを減少させることが重要である。各ＴＴＩでＮｏｄｅ  ＢからＵＥにＡＣＫ／ＮＡＣＫリソースに関する情報の明示的なシグナリングは、大きなシグナリングオーバーヘッドをもたらす。
したがって、無線リソースの効率的な使用を通じて、システム容量を増加させるために、ＡＣＫＣＨに割り当てられたリソースの量及びＡＣＫ／ＮＡＣＫリソースのシグナリングのオーバーヘッドを最適化する必要がある。
【先行技術文献】
【特許文献】
【００１１】
【特許文献１】国際公開第２００６／０７１０４９号パンフレット
【特許文献２】国際公開第２００４／１１４５８２号パンフレット
【特許文献３】国際公開第２００５／０７４１８４号パンフレット
【発明の概要】
【発明が解決しようとする課題】
【００１２】
したがって、上記した従来技術の問題点を解決するために、本発明の目的は、無線通信システムにおけるＡＣＫ／ＮＡＣＫリソースの量を最適化するリソース割り当て方法及び装置を提供することにある。
【００１３】
本発明の他の目的は、無線通信システムにおけるＡＣＫ／ＮＡＣＫリソースに関するシグナリング情報のオーバーヘッドを最適化する方法及び装置を提供することにある。
【００１４】
また、本発明の目的は、データチャンネルリソースが持続的(persistently)又は非持続的(non-persistently)にスケジューリングされるか否かに基づいて、異なる方式でＡＣＫ／ＮＡＣＫリソースに関する情報をシグナリングする方法及び装置を提供することにある。
【課題を解決するための手段】
【００１５】
上記のような目的を達成するために、本発明の一態様によれば、無線通信システムにおける肯定応答／否定応答(ＡＣＫ／ＮＡＣＫ)チャンネルリソースを割り当て及びシグナリングする方法であって、予め定められた固定サイズの第１のリソースグループ内で、非持続的スケジューリングデータチャンネルに関するスケジューリング情報を送るスケジューリング制御チャンネル(ＳＣＣＨ)に暗黙的にマッピングされるＡＣＫ／ＮＡＣＫリソースを、非持続的スケジューリングデータチャンネルに対するＡＣＫ／ＮＡＣＫの伝送のために使用するように決定するステップと、予め定められた可変サイズの第２のリソースグループ内で、持続的スケジューリングデータチャンネルに対するＡＣＫ／ＮＡＣＫの伝送のために、ＡＣＫ／ＮＡＣＫリソースを割り当て、割り当てられたＡＣＫ／ＮＡＣＫリソースを明示的に指示するリソース指示情報を少なくとも一つのユーザー端末(ＵＥ)に伝送するステップとを有することを特徴とする。
【００１６】
本発明の他の態様によれば、無線通信システムにおけるＡＣＫ／ＮＡＣＫリソースを割り当て及びシグナリングする基地局装置であって、予め定められた固定サイズの第１のリソースグループ内で、非持続的スケジューリングデータチャンネルに関するスケジューリング情報を送るＳＣＣＨに暗黙的にマッピングされるＡＣＫ／ＮＡＣＫリソースを、非持続的スケジューリングデータチャンネルに対するＡＣＫ／ＮＡＣＫの伝送のために使用するように決定し、予め定められた可変サイズの第２のリソースグループ内で、持続的スケジューリングデータチャンネルに対するＡＣＫ／ＮＡＣＫの伝送のために、ＡＣＫ／ＮＡＣＫリソースを割り当てるように決定する制御器と、割り当てられたＡＣＫ／ＮＡＣＫリソースを明示的に指示するリソース指示情報を生成し、少なくとも一つのＵＥに伝送する生成器とを含むことを特徴とする。
【００１７】
また、本発明の他の態様によれば、無線通信システムにおけるＡＣＫ／ＮＡＣＫリソースを受信する方法であって、非持続的スケジューリングデータチャンネルがＵＥに割り当てられる場合に、予め定められた固定サイズの第１のリソースグループ内で、非持続的スケジューリングデータチャンネルに関するスケジューリング情報を送るＳＣＣＨに暗黙的にマッピングされるＡＣＫ／ＮＡＣＫリソースを、非持続的スケジューリングデータチャンネルに対するＡＣＫ／ＮＡＣＫの伝送のために使用するように決定するステップと、持続的スケジューリングデータチャンネルがＵＥに割り当てられる場合に、予め定められた可変サイズの第２のリソースグループ内で、持続的スケジューリングデータチャンネルに対応するＡＣＫＣＨのために割り当てられるＡＣＫ／ＮＡＣＫリソースを明示的に指示するリソース指示情報を受信するステップとを有することを特徴とする。
【００１８】
さらに、本発明の他の態様によれば、無線通信システムにおけるＡＣＫ／ＮＡＣＫリソースを受信するＵＥ装置であって、非持続的スケジューリングデータチャンネルがＵＥに割り当てられる場合に、予め定められた固定サイズの第１のリソースグループ内で、非持続的スケジューリングデータチャンネルに関するスケジューリング情報を送るＳＣＣＨに暗黙的にマッピングされるＡＣＫ／ＮＡＣＫリソースを、非持続的スケジューリングデータチャンネルに対するＡＣＫ／ＮＡＣＫの伝送のために使用するように決定し、持続的スケジューリングデータチャンネルがＵＥに割り当てられる場合に、予め定められた可変サイズの第２のリソースグループ内で、持続的スケジューリングデータチャンネルに対応するＡＣＫＣＨのために割り当てられるＡＣＫ／ＮＡＣＫリソースを明示的に指示するリソース指示情報を受信するように決定する制御器と、制御器の制御下にリソース指示情報を受信する受信器とを含むことを特徴とする。
【発明の効果】
【００１９】
本発明は、データの非持続的スケジューリングタイプまたは持続的スケジューリングタイプによって、適切なＡＣＫ／ＮＡＣＫリソース割り当て及びシグナリング方式を適用することによって、リソースの使用効率を増加させ、シグナリングオーバーヘッドを減少させる。このように、本発明は、伝送に使用可能なリソースを増加させることで、システム容量を向上させる効果がある。
【図面の簡単な説明】
【００２０】
【図１】ダウンリンクリソース構成の一例を示す図である。
【図２】本発明によるＡＣＫ／ＮＡＣＫリソース割り当てを示す図である。
【図３】本発明によるスケジューリング物理チャンネルフォーマットを示す図である。
【図４】本発明による他のＡＣＫ／ＮＡＣＫリソース割り当て方式を示す図である。
【図５】本発明によるＡＣＫ／ＮＡＣＫリソース割り当ての一例を示す図である。
【図６】本発明によるＮｏｄｅ  Ｂの動作を示すフローチャートである。
【図７Ａ】本発明によるＵＥの動作を示すフローチャートである。
【図７Ｂ】本発明による持続的スケジューリングの場合、ＨＡＲＱ伝送中にＵＥの動作を示すフローチャートである。
【図８】本発明によるＮｏｄｅ  Ｂ装置を示すブロック構成図である。
【図９】本発明によるＵＥ装置を示すブロック構成図である。
【図１０】本発明の他の実施形態によるＭＩＭＯシステムでのＡＣＫ／ＮＡＣＫリソース割り当て方式を示す図である。
【図１１】本発明の第３の実施形態によるセルカバレッジを考慮したＡＣＫ／ＮＡＣＫリソースの割り当て方式を示す図である。
【図１２】本発明の第４の実施形態によるＡＣＫ／ＮＡＣＫリソース割り当て方式を示す図である。
【発明を実施するための形態】
【００２１】
以下、本発明の望ましい実施形態を添付の図面を参照して詳細に説明する。
【００２２】
下記に、本発明の実施形態において、本発明の範囲及び精神を外れない限り、多様な変形が可能であることは、当該技術分野における通常の知識を有する者には明らかである。また、本発明に関連した公知の機能または構成に関する具体的な説明が本発明の要旨を不明にすると判断された場合に、その詳細な説明を省略する。
【００２３】
本発明の実施形態では、ＯＦＤＭセルラー無線通信システム、特に３ＧＰＰ  ＵＭＴＳ(Universal  Mobile  Telecommunication  Services)に基づいたＥＵＴＲＡシステムのコンテキストを説明するが、本発明の主な要旨は、類似した技術背景及びチャンネル構造を有する他の通信システムにも本発明の範囲及び精神内でわずかな変更が適用可能であることは、当業者には自明である。
【００２４】
本発明は、無線通信システムにおけるチャンネルリソースの効率的な割り当て及びシグナリングに関するものである。本発明によると、異なるシグナリング方式は、データチャンネルのスケジューリングタイプに基づいてＡＣＫ／ＮＡＣＫリソースの割り当てに使用される。データチャンネルは、データトラフィックの特性に従って２つ方式でスケジューリングされることができる。
【００２５】
まず、インターネット閲覧又はゲームサービスを用いるときのように不規則的なデータ伝送の場合に、Ｎｏｄｅ  Ｂは、データが発生する度に、データ伝送に対する適切な無線リソースと適切なＴＴＩを選択する。データを伝送する場合に、Ｎｏｄｅ  Ｂは、スケジューリング制御チャンネル(Scheduling Control CHannel：以下、“ＳＣＣＨ”と称する)上で選択結果を示すスケジューリング情報をＵＥにシグナリングする。このスケジューリングタイプは、非持続的スケジューリングと呼ばれる。
【００２６】
ＶｏＩＰ(Voice  over  Internet  Protocol)のようにほぼリアルタイム又は規則的なデータトラフィックにおいて、Ｎｏｄｅ  Ｂは、ＴＴＩごとにデータ伝送に対するリソースを選択し、その選択されたリソースをＵＥに通知する必要がない。したがって、データトラフィックに対するリソース割り当てに関するスケジューリング情報は、初期スケジューリングで一回シグナリングされ、以後のデータ伝送に対して有効である。このとき、スケジューリング情報の有効性は、持続的に又は一定時間の間に続く。スケジューリング情報が複数のＴＴＩ又は複数のデータパケットにかけて有効であるスケジューリングタイプは、持続的スケジューリングと呼ばれる。
【００２７】
本発明では、データ伝送に対する持続的及び非持続的スケジューリングタイプに基づき、ＡＣＫ／ＮＡＣＫリソースが相互に異なる方式で割り当てられ、シグナリングされる。より具体的には、非持続的スケジューリングデータ伝送の場合に、ＡＣＫ／ＮＡＣＫリソースは、ＳＣＣＨのインデックスによって指示される。持続的スケジューリングデータ伝送の場合には、ＡＣＫ／ＮＡＣＫリソースは、初期スケジューリング中に明示的に通知され、以後まで有効である。ＡＣＫ／ＮＡＣＫリソースがこのデータスケジューリングタイプに基づいて割り当てられるため、全体リソースの使用効率は増加し、ＡＣＫ／ＮＡＣＫリソースのシグナリングオーバーヘッドは減少する。
【００２８】
単一データチャンネルを介して複数の符号語(codeword)が複数の送受信アンテナを通じて同時に伝送されることができるＭＩＭＯ(Multi-Input  Multi-Output）方式では、２個以上のＡＣＫＣＨが符号語に必要となる。このコンテキストにおいて、本発明は、ＭＩＭＯ伝送に対しても適切なＡＣＫ／ＮＡＣＫリソースを割り当ててシグナリングする方法を提供する。
【００２９】
ここで、用語“ＡＣＫ／ＮＡＣＫリソース”は、ＡＣＫＣＨに対して割り当てられるリソースとして定義される。
【００３０】
＜第１の実施形態＞
図２は、本発明によるＡＣＫ／ＮＡＣＫリソース割り当て方式を示す。
【００３１】
図２を参照すると、Ｎｏｄｅ  Ｂスケジューラ２００は、データチャンネルに対して非持続的スケジューリング２１１又は持続的スケジューリング２１２を選択する。
【００３２】
非持続的スケジューリング２１１において、Ｍ個のＳＣＣＨ２０３は、Ｍ個のデータチャンネルに関するスケジューリング情報を伝達する。各ＳＣＣＨは、一つのデータチャンネルに関するスケジューリング情報を送る物理階層制御チャンネルである。ＡＣＫ／ＮＡＣＫがデータチャンネルに対して伝送されるＡＣＫ／ＮＡＣＫリソースは、データチャンネルにマッピングされるＳＣＣＨ２０３のインデックスによって暗黙的(implicitly)に指示される。そのため、異なるデータチャンネル、すなわち相互に異なるＳＣＣＨ２０３は、参照符号２０５で示されたように、固定サイズ(fixed-size)リソースグループ２０９内のＡＣＫＣＨ２０７に一対一(one-to-one)でマッピングされる。
【００３３】
最も簡単なマッピング規則は、ＳＣＣＨ＃ｎがＡＣＫＣＨ＃ｎにマッピングされることであるが、他のマッピング規則も可能である。ＳＣＣＨ２０３とＡＣＫＣＨ２０７との間のマッピングは、Ｎｏｄｅ  ＢがＵＥにＡＣＫＣＨ２０７のインデックスを明示的にシグナリングする必要性を除去し、それによってシグナリングオーバーヘッドを減少させる。
【００３４】
一方、多様なフォーマット及びサイズのＳＣＣＨを定義するために、各々所定個数の副搬送波を有するＣＣＥ(Control  Channel  Element)が定義され、ＣＣＥインデックスで標識される。ＳＣＣＨは、一つ以上のＣＣＥで形成可能である。ＳＣＣＨを形成する一つのＣＣＥ(又はそれ以上のＣＣＥ)のインデックスは、ＳＣＣＨのインデックスの代りに、ＡＣＫ／ＮＡＣＫリソースにマッピングされる。したがって、ＵＥは、ＡＣＫＣＨのインデックスを別途にシグナリングせずに、ＳＣＣＨを形成するＣＣＥのインデックスから割り当てられたＡＣＫＣＨのインデックスを知ることができる。このように、非持続的スケジューリングデータに対するＡＣＫ／ＮＡＣＫリソースは、ＳＣＣＨ２０３のインデックスの代わりに、ＣＣＥのインデックスによって暗黙的にシグナリングされる。一つのＳＣＣＨが複数のＣＣＥを含むと、それらＣＣＥインデックスの一つ、例えば最低のＣＣＥインデックスは、ＡＣＫ／ＮＡＣＫリソースにマッピングされることができる。
【００３５】
図２に示すケースは、一つのＴＴＩで最大Ｍ個のデータチャンネルがスケジューリングできるという仮定に基づいている。各ＴＴＩに対してスケジューリングされたデータチャンネルの数は、Ｎｏｄｅ  Ｂスケジューラ２００の決定によって変わり、ＳＣＣＨ２０３及びＡＣＫＣＨ２０７の数も変化することができる。非持続的スケジューリング２１１の場合には、上記リソースグループ２０９が、最大使用可能なデータチャンネルの数だけ、あるいはそれ以上のＡＣＫＣＨのためにプリセットされ、それによって明示的シグナリングなしにＡＣＫ／ＮＡＣＫリソースの迅速な割り当てが可能になる。
【００３６】
持続的スケジューリング２１２において、リソースが、初期データ伝送でＳＣＣＨ２０４を用いてデータチャンネルに対してスケジューリングされると、このリソースに関するスケジューリング情報は、新たなスケジューリング情報の伝送なしに、持続的に、あるいは所定数の以後のＴＴＩで有効である。
【００３７】
しかしながら、持続的にスケジューリングされるＵＥの個数がセルごとに異なり、持続的にスケジューリングされるデータチャンネルの数がＴＴＩごとに異なることを考慮すれば、Ｎｏｄｅ  Ｂは、参照符号２０６で示されるように、持続的スケジューリング２１２で可変サイズ(flexible  size)リソースグループ２１０内のＡＣＫＣＨ２０８を指示するリソース指示情報(resource  indication  information)をＵＥに明示的に伝送する。このリソース指示情報は、同一のリソース割り当てがデータに対して維持される間、持続的にＵＥに有効である。
【００３８】
必要な場合、例えば、ＲＢに散在されているＡＣＫ／ＮＡＣＫリソースを集めるために、サービス途中で追加的なシグナリングによって持続的スケジューリングデータチャンネルに対するＡＣＫ／ＮＡＣＫリソースの再割り当てが可能である。このＡＣＫ／ＮＡＣＫリソース再割り当ては、持続的スケジューリングデータチャンネルを通じて伝送される上位階層シグナリング情報によって指示されることができる。ＵＥは、上位階層シグナリング情報からＡＣＫ／ＮＡＣＫリソース指示情報を獲得し、このＡＣＫ／ＮＡＣＫリソース指示情報によって指示されたリソースで以後に受信されたデータチャンネルに対してＡＣＫ／ＮＡＣＫを伝送する。
【００３９】
図２に示すように、持続的スケジューリングデータチャンネルに関するＡＣＫ／ＮＡＣＫリソース指示情報は、参照符号２０６で示されるように、制御チャンネル上の階層１(Ｌ１)／階層２(Ｌ２)、あるいは上位階層プロトコル情報によってシグナリングされる。データチャンネルに関する持続的スケジューリング情報がＬ１／Ｌ２のシグナリングによって伝送された場合でも、ＡＣＫ／ＮＡＣＫリソース指示情報は、上位階層のシグナリングによって伝送されることができる。初期スケジューリング情報の伝送は持続的スケジューリング２１２に十分であるため、ＡＣＫ／ＮＡＣＫリソース指示情報の明示的シグナリングは、ＴＴＩごとに必要なだけのＡＣＫ／ＮＡＣＫリソースが割り当てられても、シグナリングオーバーヘッドを大きく増加させない。
【００４０】
持続的スケジューリング２１２において、データは、初期ＨＡＲＱ伝送中には持続的にスケジューリングされたリソースで伝送される。初期伝送されたデータが誤りを有すると、Ｎｏｄｅ  Ｂは、ＨＡＲＱ再伝送に対するデータチャンネルリソースを明示的にスケジューリングすることができる。したがって、ＡＣＫ／ＮＡＣＫは、ＨＡＲＱ再伝送中に、データチャンネルをスケジューリングするＳＣＣＨ２０３のインデックスに暗黙的にマッピングされる固定サイズリソースグループ２０９のＡＣＫＣＨ２０７を通じて再転送されたデータに対して伝送される。あるいは、ＡＣＫ／ＮＡＣＫは、可変サイズリソースグループ２１０で既存に持続的にスケジューリングされたＡＣＫＣＨから同一のＡＣＫＣＨ、あるいは異なるＡＣＫＣＨを通じて伝送されることができる。そうして、初期ＨＡＲＱ伝送に使用されるＡＣＫ／ＮＡＣＫリソースは、他のチャンネルに利用され得る。
【００４１】
例えば、ＡＣＫ／ＮＡＣＫが、ＨＡＲＱ再伝送中に、データリソースをスケジューリングするＳＣＣＨのインデックス、又はＳＣＣＨを形成するＣＣＥのインデックスにマッピングされるＡＣＫＣＨ２０７を通じて伝送される場合に、一つのＵＥに対して持続的スケジューリングデータチャンネルのために割り当てられたＡＣＫ／ＮＡＣＫリソースは、初期ＨＡＲＱ伝送のみに限定される。Ｎｏｄｅ  Ｂは、他のＵＥのＡＣＫＣＨ、あるいはこのＵＥの他のチャンネルに、初期ＨＡＲＱ伝送に対して割り当てられたＡＣＫ／ＮＡＣＫリソースを割り当てるため、リソースの使用効率が向上する。言い換えれば、持続的データスケジューリングによって持続的に割り当てられたＡＣＫ／ＮＡＣＫリソースは、初期ＨＡＲＱ伝送のみに対して有効であり、ＳＣＣＨによって暗黙的に指示されるＡＣＫ／ＮＡＣＫリソースは、ＨＡＲＱ再伝送中に、ＡＣＫ／ＮＡＣＫの伝送に使用される。
【００４２】
上記したＡＣＫ／ＮＡＣＫリソースの割り当ては、ダウンリンク及びアップリンク共に適用される。ダウンリンクデータ伝送の場合に、ＳＣＣＨ２０３、２０４は、Ｎｏｄｅ  Ｂからダウンリンクデータに関するリソース指示情報をＵＥに送り、ＡＣＫＣＨ２０７，２０８は、ＵＥからダウンリンクデータに対するＡＣＫ／ＮＡＣＫをＮｏｄｅ  Ｂに伝達する。アップリンクデータ伝送の場合に、ＳＣＣＨ２０３，２０４は、ＵＥがＮｏｄｅ  Ｂに伝送するアップリンクデータに関するリソース指示情報を伝達し、ＡＣＫＣＨ２０７，２０８は、Ｎｏｄｅ  Ｂからアップリンクデータに対するＡＣＫ／ＮＡＣＫをＵＥに送る。
【００４３】
図３は、持続的スケジューリング情報が非持続的スケジューリング情報のようにＬ１／Ｌ２シグナリングによって伝送される場合に、本発明によるダウンリンクスケジューリング物理チャンネルフォーマットの一例を示す。参照符号３００は非持続的ＳＣＣＨの情報フォーマットを意味し、参照符号３０１は持続的スケジューリング制御チャンネルの情報フォーマットを意味する。
【００４４】
図３を参照すると、ＵＥは、ＳＣＣＨの第１の部分(Part1)３０３を受信及び復号し、スケジューリングタイプインジケータ３０２に基づき、このＳＣＣＨが非持続的スケジューリングであるか、あるいは持続的スケジューリングであるかを判定する。ＵＥは、スケジューリングタイプインジケータ３０２によって第２の部分(Part2)３０４を受信及び復号してスケジューリング情報３０５，３０６を獲得する。スケジューリング情報３０５又は３０６は、データチャンネルに対して割り当てられるリソースを示すリソース指示情報、データチャンネルのＭＣＳ(Modulation  and  Coding  Scheme)レベル、ＨＡＲＱ情報、及びＭＩＭＯ情報を含む。
【００４５】
持続的スケジューリング情報３０６は、非持続的スケジューリング情報３０５に比べて、持続的スケジューリング情報３０６が有効である区間(duration)を示すスケジューリング区間情報及びＡＣＫ／ＮＡＣＫリソース指示情報をさらに含む。非持続的ＳＣＣＨフォーマット３００は、持続的ＳＣＣＨフォーマット３０１と同一であり、スケジューリング区間情報及びＡＣＫ／ＮＡＣＫリソース指示情報はＬ１／Ｌ２シグナリングあるいは上位階層シグナリングによってそれぞれ伝送されることをさらに考えられ得る。
【００４６】
初期伝送が持続的スケジューリングを通じてスケジューリングされ、Ｌ１／Ｌ２シグナリングによってシグナリングされる場合に、ＡＣＫ／ＮＡＣＫリソースは、非持続的スケジューリングとしてＳＣＣＨによって暗黙的に指示することができる。ＡＣＫ／ＮＡＣＫリソースは、持続的にスケジューリングされる初期データ伝送、あるいはＳＣＣＨによって指示されない次のデータ伝送で明示的にシグナリングされることができる。例えば、持続的スケジューリング情報がＳＣＣＨ＃ｋを通じてＵＥにシグナリングされると、ＵＥは、ＳＣＣＨ＃ｋによって指示されたデータチャンネルリソースでデータを受信し、この受信されたデータに対するＳＣＣＨ＃ｋにマッピングされるＡＣＫＣＨ＃ｋを通じてＡＣＫ／ＮＡＣＫを伝送する。その次のデータがデータチャンネルリソースで受信された場合に、ＵＥは、データチャンネルリソースで最初に受信されたデータに含まれる上位階層シグナリング情報によって明示的に指示されたＡＣＫ／ＮＡＣＫリソースを通じて上記データに対するＡＣＫ／ＮＡＣＫを伝送する。
【００４７】
上記したＡＣＫＣＨの使用例は、データチャンネルに関する持続的スケジューリング情報の上位階層シグナリングに適用される。上位階層シグナリング情報として持続的スケジューリング情報を含む初期データを送るデータチャンネルがＳＣＣＨによってＵＥに対してスケジューリングされるため、ＵＥは、ＳＣＣＨ又はＳＣＣＨを形成するＣＣＥにマッピングされるＡＣＫ／ＮＡＣＫリソースによってＡＣＫ／ＮＡＣＫを伝送する。初期データの成功的な受信後に、ＵＥは、初期データに含まれている上位階層シグナリング情報によって指示されるＡＣＫ／ＮＡＣＫリソースでＡＣＫ／ＮＡＣＫを伝送する。
【００４８】
図４は、本発明による他のＡＣＫ／ＮＡＣＫリソース割り当て方式を示す。
【００４９】
図４を参照すると、持続的スケジューリングデータチャンネルに対するＡＣＫＣＨ４０３は、ＣＱＩチャンネル(Channel  Quality  Indicator  Channel：以下、“ＣＱＩＣＨ”と称する)４０４とリソースグループ４０５を共有する。ＵＥは、ＣＱＩＣＨ４０４を通じてダウンリンクチャンネルに関する状態情報をＮｏｄｅ  Ｂに伝送する。Ｎｏｄｅ  Ｂは、参照符号４０１によって示されたように、各ＵＥにＣＱＩＣＨに対して伝送タイミングとリソースを明示的に指示する。ＡＣＫＣＨ４０３と同様に、ＣＱＩＣＨ４０４の数は、セルごとに、又はＴＴＩごとに変化する。ＣＱＩＣＨ４０４及びＡＣＫＣＨ４０３は、可変サイズリソースグループ４０５を共有し、Ｎｏｄｅ  Ｂは、リソースグループ４０５内のＡＣＫＣＨ４０３及びＣＱＩＣＨ４０４に割り当てられたリソースを、状況によってリソース境界４０２をシフトすることによって制御する。したがって、全体リソースは効率的に使用されることができる。
【００５０】
図５は、本発明によるＡＣＫ／ＮＡＣＫリソース割り当ての例を示す。ＡＣＫ／ＮＡＣＫリソース割り当ては、一例として、３ＧＰＰのＥＵＴＲＡアップリンクＳＣ-ＦＤＭＡ(Single  Carrier-Frequency  Division  Multiple  Access)標準に従って遂行される。
【００５１】
図５を参照すると、１０ＭＨｚの伝送帯域幅５００は、５０個のリソースユニット(Resource  Unit：以下、“ＲＵ”と称する)５０１〜５０４に分けられ、各ＲＵは、１２個の副搬送波を有する。ＡＣＫＣＨ及びＣＱＩＣＨは、相互に異なるシーケンスを適用し、あるいは同一のシーケンスの相互に異なる循環的にシフトされたシーケンスを適用して、第１のＲＵ５０１(ＲＵ＃１)、第４９のＲＵ５０３(ＲＵ＃４９)、第５０のＲＵ５０４(ＲＵ＃５０)のＣＤＭ(Code  Division  Multiplexing)によって多重化される。データチャンネルは、第２乃至第４８のＲＵ５０２(ＲＵ＃２〜ＲＵ＃４８)のＦＤＭ(Frequency  Division  Multiplexing)によってＡＣＫＣＨ及びＣＱＩＣＨと多重化される。
【００５２】
非持続的スケジューリングデータチャンネルに対するＭ個のＡＣＫＣＨであるＡＣＫＣＨ＃１乃至ＡＣＫＣＨ＃Ｍは、ＣＤＭによってＲＵ＃１で伝送され、ＲＵ＃１の残りのＣＤＭリソースは、持続的スケジューリングデータチャンネルに対するＡＣＫＣＨ＃(Ｍ＋１)乃至ＡＣＫＣＨ＃１２に割り当てられる。ＡＣＫＣＨ＃(Ｍ＋１)乃至ＡＣＫＣＨ＃１２に加えて、ＲＵ＃４９及びＲＵ＃５０は、持続的スケジューリングデータチャンネルのためのＡＣＫ／ＮＡＣＫリソースとして使用される。少数の持続的スケジューリングデータチャンネルを有するＴＴＩで、ＲＵ＃４９及びＲＵ＃５０は、ＲＵ＃２乃至ＲＵ＃４８のデータチャンネル５０５と共にデータチャンネルのために使用され、あるいはＣＱＩＣＨ専用として使用される。
【００５３】
図５では、ＲＵ＃４９が第１乃至第ＫのＣＱＩＣＨ５０９〜５１０(ＣＱＩＣＨ＃１〜ＣＱＩＣＨ＃Ｋ)に割り当てられるが、ＲＵ＃４９内に境界が引かれる必要はなく、ＣＱＩＣＨもＲＵ＃５０に割り当てられることができる。ＡＣＫ／ＮＡＣＫリソース及びＣＱＩＣＨリソースの量及びインデックスはＴＴＩベースで制御されるため、無線リソースが必要なだけ効率的に使用されることができる。
【００５４】
可変サイズリソースグループ４０５で、ＣＤＭシーケンスの循環シフト値、追加的直交シーケンスインデックス、及び伝送されたＲＵインデックスのような絶対値をＵＥにシグナリングする代わりに、固定サイズＡＣＫＣＨリソースグループの境界からオフセットがＵＥにシグナリングされることができる。図５に示すように、各アップリンクチャンネルインデックスがＣＤＭシーケンスの循環シフト値、直交シーケンスインデックス、及び伝送されたＲＵインデックスの組み合わせによって定義される場合に、オフセットは、固定サイズＡＣＫＣＨリソースグループの境界でＡＣＫＣＨ＃Ｍに対する相対的インデックスと呼ぶ。例えば、ＡＣＫＣＨ＃(Ｍ＋ｍ)は、オフセットｍによって指示される。
【００５５】
図６は、本発明によるＮｏｄｅ  Ｂの動作を示すフローチャートである。
【００５６】
図６を参照すると、Ｎｏｄｅ  Ｂは、ステップ６００で、ＵＥに対するアップリンク及び／又はダウンリンクデータチャンネル及びＡＣＫＣＨをスケジューリングする準備をする。具体的には、Ｎｏｄｅ  Ｂは、データトラフィックに対するスケジューリングタイプ、バッファ状態、及びリソース状態のようなスケジューリングに要求される情報を収集する。ステップ６０１で、Ｎｏｄｅ  Ｂは、割り当てられたリソース及びＭＣＳレベルのようなデータチャンネルに対するスケジューリングタイプ及び伝送フォーマットを決定した後に、上記決定結果によってスケジューリング情報をフォーマットする。
【００５７】
Ｎｏｄｅ  Ｂは、ステップ６０２で、スケジューリングタイプが持続的であるか、あるいは非持続的であるかを判定する。その結果、持続的スケジューリングである場合には、Ｎｏｄｅ  Ｂは、ステップ６０３で、ＡＣＫ／ＮＡＣＫリソースを判定し、ＡＣＫ／ＮＡＣＫリソースをＵＥに通知するためにＡＣＫ／ＮＡＣＫリソース指示情報をフォーマットする。このスケジューリングタイプは、データチャンネルのトラフィック特性によって判定される。ステップ６０４で、Ｎｏｄｅ  Ｂは、Ｌ１／Ｌ２シグナリング又は上位階層シグナリングによってデータチャンネルのスケジューリング情報及びＡＣＫ／ＮＡＣＫリソース指示情報を伝送する。
【００５８】
一方、非持続的スケジューリングの場合には、ＡＣＫ／ＮＡＣＫリソースは、データチャンネルにマッピングされるＳＣＣＨのインデックスによって決定される。したがって、Ｎｏｄｅ  Ｂは、ステップ６０５で、ＳＣＣＨインデックスを有するＳＣＣＨを通じてデータチャンネルのスケジューリング情報のみをＵＥに伝送する。
【００５９】
図７Ａは、本発明によるＵＥの動作を示すフローチャートである。
【００６０】
図７Ａを参照すると、ＵＥは、ステップ７００で、各スケジューリング周期(例えば、各ＴＴＩ)ごとにＳＣＣＨを復号することによってスケジューリング情報を獲得する。ステップ７０１で、ＵＥは、現在スケジューリング周期でＵＥに割り当てられたデータチャンネルリソースが存在するか否かを判定し、すなわちＵＥが現在スケジューリング周期でスケジューリングされたか否かを上記スケジューリング情報から判定する。ＵＥがスケジューリングされていないと、ＵＥは、ステップ７００に戻る。ＵＥがスケジューリングされた場合に、ステップ７０２で、ＵＥは、スケジューリング情報によって、スケジューリングされたデータを伝送し(アップリンクデータ伝送がスケジューリングされた場合)、あるいは復号(ダウンリンクデータ受信がスケジューリングされた場合)する。
【００６１】
ステップ７０３で、ＵＥは、ステップ７０２に使用されたデータのスケジューリングタイプが持続的であるか、あるいは非持続的であるかを判定する。ＵＥは、スケジューリング情報のスケジューリングタイプインジケータ、あるいはデータチャンネルのトラフィック特性からスケジューリングタイプを判定できる。持続的スケジューリングタイプの場合に、ＵＥは、ステップ７０４で、持続的スケジューリングによってデータが初期にスケジューリングされた場合を明示的に指示するＡＣＫ／ＮＡＣＫリソースを検出する。その後、ＵＥは、ステップ７０６で、ダウンリンクデータ受信がスケジューリングされると、ＡＣＫＣＨリソースでＮｏｄｅ  ＢにＡＣＫ／ＮＡＣＫを伝送し、あるいはアップリンクデータ伝送がスケジューリングされると、Ｎｏｄｅ  ＢからＡＣＫＣＨリソースでＡＣＫ／ＮＡＣＫを受信する。
【００６２】
非持続的スケジューリングタイプの場合には、ＵＥは、ステップ７０５で、非持続的スケジューリングデータチャンネルに対応するＳＣＣＨに暗黙的にマッピングされるＡＣＫ／ＮＡＣＫリソースを検出し、ステップ７０６で、ＡＣＫ／ＮＡＣＫリソースによってＮｏｄｅ  ＢとＡＣＫ／ＮＡＣＫを送受信する。
【００６３】
図７Ｂは、本発明による持続的スケジューリングダウンリンクデータチャンネルに対して、アップリンクでＡＣＫ／ＮＡＣＫを伝送する場合にＵＥの動作を示すフローチャートである。
【００６４】
図７Ｂを参照すると、ＵＥは、ステップ７１１で、Ｌ１／Ｌ２シグナリング又は上位階層シグナリングによって、ダウンリンクデータチャンネル及びアップリンクＡＣＫＣＨに対するリソースが持続的にスケジューリングされる持続的スケジューリング情報を受信する。すなわち、持続的スケジューリング情報は、アップリンクＡＣＫＣＨに対するＡＣＫ／ＮＡＣＫリソース指示情報を含む。ステップ７１２で、ＵＥは、持続的スケジューリング情報によって持続的スケジューリングデータチャンネルを通じて周期的にデータパケットを受信する。
【００６５】
ステップ７１３で、ＵＥは、データパケットが初期ＨＡＲＱ伝送パケットであるか、あるいはＨＡＲＱ再伝送パケットであるかを判定する。ＵＥは、初期ＨＡＲＱ伝送である場合にはステップ７１５に進行し、ＨＡＲＱ再伝送である場合にはステップ７１４に進行する。ステップ７１５で、ＵＥは、ステップ７０１で明示的に指示されたＡＣＫ／ＮＡＣＫリソースでデータパケットに対するＡＣＫ／ＮＡＣＫを送信する。ステップ７１４で、ＵＥは、持続的スケジューリング情報がデータパケットと共に受信されたか否かを判定する。これらが別々に受信された場合に、ＵＥは、ステップ７１５で、ステップ７０１で明示的に指示されたＡＣＫ／ＮＡＣＫリソースでデータパケットに対するＡＣＫ／ＮＡＣＫを送信する。一方、持続的スケジューリング情報がデータパケットと共に受信されると、ＵＥは、ステップ７１６で、ＳＣＣＨ又はこのＳＣＣＨのＣＣＥにマッピングされるＡＣＫＣＨを通じてＡＣＫ／ＮＡＣＫを送信する。
【００６６】
図８は、本発明によるＮｏｄｅ  Ｂの装置を示すブロック構成図である。
図８を参照すると、データチャンネルスケジューラ８００は、データチャンネルのスケジューリングによってデータに対する無線リソース及びＭＣＳレベルを決定する。スケジューリング情報生成器８０３は、データチャンネルスケジューラ８００の決定結果を示すスケジューリング情報を生成し、制御チャンネル生成器８０５は、スケジューリング情報をチャンネル符号化してＳＣＣＨを通じて伝送する。このスケジューリング情報は、Ｌ１／Ｌ２シグナリング又は上位階層シグナリングによって伝送されることができる。
【００６７】
制御器８０１は、非持続的スケジューリングデータチャンネルに対してＳＣＣＨに暗黙的にマッピングされるＡＣＫ／ＮＡＣＫチャンネルリソースを使用するように決定する。持続的スケジューリングデータチャンネルに対して、制御器８０１は、可変サイズリソースグループ内にＡＣＫ／ＮＡＣＫリソースが割り当てられる必要があると判定し、その結果をＡＣＫＣＨスケジューラ８０２に通知する。
【００６８】
ＡＣＫＣＨスケジューラ８０２は、データチャンネルに対するＡＣＫＣＨのためのリソース割り当てを決定する。制御器８０１の制御下で、非持続的スケジューリングデータチャンネルに対するＡＣＫＣＨをスケジューリングせず、持続的スケジューリングデータチャンネルに対する可変サイズリソースグループでＡＣＫＣＨに対するリソースのみを割り当てる。指示情報生成器８０４は、ＡＣＫＣＨスケジューラ８０２の決定を明示的に指示するＡＣＫ／ＮＡＣＫリソース指示情報を生成する。制御チャンネル生成器８０５は、ＡＣＫ／ＮＡＣＫリソース指示情報をチャンネル符号化した後に、Ｌ１／Ｌ２スケジューリング又は上位階層スケジューリングによって伝送する。
【００６９】
図９は、本発明によるＵＥの受信器を示すブロック構成図である。
【００７０】
図９を参照すると、ＳＣＣＨデコーダ９００は、受信(ＲＸ)信号９０６からＳＣＣＨリソースにマッピングされるＳＣＣＨ信号を検出し、このＳＣＣＨ信号を復号することによってスケジューリング情報を獲得する。スケジューリング情報の復号に成功した場合に、制御器９０１は、スケジューリング情報が持続的スケジューリングタイプを指示するか、あるいは非持続的スケジューリングタイプを指示するかを判定する。持続的スケジューリングタイプである場合に、制御器９０１は、ＡＣＫ／ＮＡＣＫリソースのシグナリング方式によってマルチプレクサ(ＭＵＸ)９０２を制御し、受信信号のうちＡＣＫ／ＮＡＣＫリソースを指示するシグナリング信号を指示情報デコーダ９０３に提供する。ＡＣＫ／ＮＡＣＫリソースシグナリング信号がスケジューリング情報に含まれていると、ＭＵＸ９０２は、スケジューリング情報を選択して指示情報デコーダ９０３に提供する。
【００７１】
指示情報デコーダ９０３は、スケジューリング情報に含まれているシグナリング信号を復号してＡＣＫ／ＮＡＣＫリソース指示情報を獲得する。ダウンリンクデータ受信中に、ＡＣＫ／ＮＡＣＫリソース指示情報は、ＡＣＫ／ＮＡＣＫ生成器及びマッパ９０４に使用され、ダウンリンクデータに対してＡＣＫ／ＮＡＣＫを生成してＡＣＫ／ＮＡＣＫリソースにマッピングする。アップリンクデータの伝送に対して、ＡＣＫ／ＮＡＣＫリソース指示情報は、ＡＣＫ／ＮＡＣＫ検出器９０５に使用され、ＲＸ信号９０６からＡＣＫ／ＮＡＣＫリソースにマッピングされるＡＣＫ／ＮＡＣＫを検出する。
【００７２】
非持続的スケジューリングの場合に、制御器９０１は、非持続的データチャンネルに対するＳＣＣＨ指示リソースに暗黙的にマッピングされたＡＣＫ／ＮＡＣＫリソースを検出し、ＡＣＫ／ＮＡＣＫ送信又は受信に使用するようにＡＣＫ／ＮＡＣＫリソースをＡＣＫ／ＮＡＣＫ生成器／マッパ９０４に通知する。
【００７３】
＜第２の実施形態＞
図１０は、本発明の他の実施形態によるＭＩＭＯシステムに対してＡＣＫ／ＮＡＣＫリソース割り当て方式を示す。
【００７４】
ＭＩＭＯ方式は、ＳＣＷ(Single CodeWord)-ＭＩＭＯとＭＣＷ(Multi-CodeWord)-ＭＩＭＯに分けられる。送信器が複数の符号語を同時に伝送するＭＣＷ-ＭＩＭＯにおいて、復号化は、各符号語に対して遂行される。そのため、伝送された符号語の個数だけのＡＣＫＣＨが必要である。したがって、図１０に示すように、非持続的にスケジューリングされるＭＣＷ-ＭＩＭＯデータチャンネル上の少なくとも一つの符号語(例えば、第１の符号語)に対するＡＣＫＣＨは、参照符号１０００で表すように、第１の符号語に対するＳＣＣＨのインデックスにマッピングされるＡＣＫ／ＮＡＣＫリソースを使用する一方で、残りの符号語に対するＡＣＫ／ＮＡＣＫリソースは、参照符号１００３で表すように、非持続的スケジューリングＭＣＷ-ＭＩＭＯデータチャンネルに対するＳＣＣＨ１００２と共に明示的にシグナリングされる。このＡＣＫ／ＮＡＣＫリソースは、持続的スケジューリングデータチャンネルに対するＡＣＫＣＨと可変サイズリソースグループ１００５を共有する。
【００７５】
すなわち、ＭＣＷ-ＭＩＭＯデータの非持続的スケジューリングに対して、Ｎｏｄｅ  Ｂは、ＴＴＩ単位でＡＣＫ／ＮＡＣＫリソース１００５の割り当て状態を考慮して、参照符号１００３で示されるように、ＡＣＫ／ＮＡＣＫリソースが割り当てられない符号語に対して可変サイズＡＣＫ／ＮＡＣＫリソース１００５の一部を割り当てる。非持続的スケジューリングＭＣＷ-ＭＩＭＯデータチャンネルに対するＡＣＫＣＨと持続的スケジューリングＭＣＷ-ＭＩＭＯデータチャンネルに対するＡＣＫＣＨとの間のリソースグループ１００５の共有は、無線リソースの効率的な使用を可能にする。
【００７６】
非ＭＩＭＯ及びＳＣＷ-ＭＩＭＯデータチャンネルに対して、ＳＣＣＨ１００１のインデックスによって暗黙的にシグナリングされるＡＣＫ／ＮＡＣＫリソースは、上述したように、参照符号１００６で示されたように使用される。したがって、非ＭＩＭＯ及びＳＣＷ-ＭＩＭＯデータチャンネルに対するＡＣＫ／ＮＡＣＫは、固定サイズリソースグループ１００４内のＡＣＫＣＨを通じて伝送される。
【００７７】
＜第３の実施形態＞
図１１は、本発明の第３の実施形態によるＡＣＫ／ＮＡＣＫリソース割り当て方式を示す。ＡＣＫ／ＮＡＣＫリソースは、ＡＣＫＣＨのセルカバレッジ(cell  coverage)を考慮して割り当てられる。ここで、３ＧＰＰ  ＥＵＴＲＡ標準は、１ｍｓＴＴＩが定義されていることを考慮する。
【００７８】
ＡＣＫＣＨのセルカバレッジは、ＡＣＫＣＨが安定的に検出されるセル半径として定義される。制限された最大送信電力に対してセルカバレッジを拡張させるために、ＡＣＫＣＨの伝送区間を伸ばすことによって受信器でＡＣＫＣＨの受信エネルギーを増加させることが必要である。しかしながら、このＡＣＫＣＨの伝送区間を伸ばすほど、ＡＣＫＣＨが占めるリソースの量は比例的に増加するようになる。
【００７９】
したがって、無線リソースの効率的な使用に対して、持続的スケジューリングデータチャンネルに対する可変サイズリソースグループ１１０１は、１ｍｓの伝送区間を有する第１のリソースグループ１１０７と、０.５ｍｓ伝送区間を有する第２のリソースグループ１１０８に分けられる。０.５ｍｓ伝送区間１１０５を有するＡＣＫＣＨ＃２.ｘ又は１ｍｓ伝送区間１１０４を有するＡＣＫＣＨ＃１.ｘは、持続的スケジューリングに従ってＵＥに割り当てられる。割り当てられたＡＣＫＣＨの伝送時間は、ＡＣＫ／ＮＡＣＫリソース指示情報によって指示され、あるいはＡＣＫ／ＮＡＣＫリソースの位置又はＡＣＫＣＨのインデックスによってシステムとＵＥとの間でプリセットされる。
【００８０】
十分な送信電力を有するＮｏｄｅ  Ｂに近接したＵＥに対して、Ｎｏｄｅ  Ｂは、第２のリソースグループ１１０８内のＡＣＫＣＨ＃２.ｘを割り当てることによって高電力で０.５ｍｓでＡＣＫ／ＮＡＣＫを伝送するようにＵＥに指示し、それによってＡＣＫ／ＮＡＣＫリソースオーバーヘッドが減少する。十分な送信電力を有していないセル境界にあるＵＥに対しては、Ｎｏｄｅ  Ｂは、第１のリソースグループ１１０７内のＡＣＫＣＨ＃１.ｘをＵＥに割り当てることによってＡＣＫＣＨの受信エネルギーを増加させ、それによってＡＣＫ／ＮＡＣＫ検出確率を増加させる。このＮｏｄｅ  Ｂは、ＵＥによって報告されるチャンネル状態、ＵＥから受信される信号の信号強さ、またはＵＥの地理的位置によって、ＵＥが近くにあるか、あるいはセル境界にあるかを判定する。
【００８１】
第１及び第２のリソースグループ１１０７，１１０８間の境界１１０６は、セル及びＴＴＩごとに可変できる。第２のリソースグループ１１０８のＡＣＫＣＨは、０.５ｍｓで必ずしも連続的に伝送されることではない。例えば、ＡＣＫＣＨ＃２.１及びＡＣＫＣＨ＃２.２は、不連続的な２個の０.２５ｍｓ区間で交互に伝送され、次の０.５ｍｓ区間で周波数ホッピングが起こることがある。例えば、ＡＣＫＣＨ＃１は、０と０.２５ｍｓとの間及び０.５ｍｓと０.７５ｍｓとの間の不連続的な周期(time  period)で伝送され、ＡＣＫＣＨ＃２は、０.２５ｍｓと０.５ｍｓとの間及び０.７５ｍｓと１ｍｓとの間の不連続的な周期で伝送される。ＡＣＫＣＨ＃１とＡＣＫＣＨ＃２は、最初の０.５ｍｓ周期に対しては第１の周波数リソース(例えば、ＲＵ＃１)で伝送され、次の０.５ｍｓ周期に対しては第２の周波数リソース(例えば、ＲＵ＃５０)に周波数ホッピングされる。このとき、ＡＣＫＣＨ＃２.ｘの全体伝送区間は、０.５ｍｓであるが、伝送が不連続的及び周波数ホッピングされるため、周波数と時間ダイバーシティが得られる。この可変サイズＡＣＫ／ＮＡＣＫリソース１１０１は、持続的スケジューリングデータに対するＡＣＫＣＨだけでなく、ＣＱＩＣＨとＭＣＷ-ＭＩＭＯデータチャンネルに対するＡＣＫＣＨとの間で共有される。
【００８２】
一方、非持続的スケジューリングデータチャンネルに対するＡＣＫＣＨは、ＴＴＩごとにＳＣＣＨのインデックスによって動的に割り当てられるため、固定サイズリソースグループ１１００のＡＣＫＣＨは、セルカバレッジの問題を防ぐために、共通的に１ｍｓ伝送時間１１０３を有する。固定サイズリソースグループ１１００のＡＣＫＣＨは、コード又は周波数ドメイン１１０２に多重化されることができる。
【００８３】
＜第４の実施形態＞
図１２は、本発明の第４の実施形態によるＡＣＫ／ＮＡＣＫリソース割り当て方式を示す。
【００８４】
図１２を参照すると、非持続的スケジューリングデータチャンネルに対するＡＣＫ／ＮＡＣＫは、本発明の第１の実施形態のように、データチャンネルに対するＳＣＣＨにマッピングされる固定サイズリソースグループ１２０２のＡＣＫ／ＮＡＣＫリソースを使用する。ＡＣＫ／ＮＡＣＫリソースは、ＳＣＣＨの代わりに、ＳＣＣＨを形成する少なくとも一つのＣＣＥにマッピングされることができる。このとき、ＳＣＣＨによって指示されるデータチャンネルに対するＡＣＫＣＨは、ＳＣＣＨを形成する少なくとも一つのＣＣＥに対応するリソースを使用し、ＵＥはＣＣＥインデックスによってＡＣＫ／ＮＡＣＫリソースを暗黙的に認知する。
【００８５】
本発明の第１の実施形態に比べて、第４の実施形態は、可変サイズリソースグループ１２０５だけでなく固定サイズリソースグループ１２０２のリソースが持続的スケジューリングデータチャンネルに対するＡＣＫＣＨ、ＣＱＩＣＨ、及び他のチャンネルのうち少なくとも一つに使用可能であることを特徴とする。
【００８６】
例えば、セル内の少数のアクティブ(active)ＵＥ又は一つのＴＴＩに対してスケジューリングされた少数のＵＥのため、少数のＳＣＣＨが使用される場合に、多くのリソースが、固定サイズリソースグループ１２０２で使用されたＳＣＣＨにマッピングされたＡＣＫ／ＮＡＣＫリソースを除いて残る。この場合、Ｎｏｄｅ  Ｂは、残りのリソース及び可変サイズリソースグループ１２０５を明示的指示１２０４によってＵＥに割り当て、それによって残っているリソースは、持続的スケジューリングデータチャンネルに対するＡＣＫＣＨ、ＣＱＩＣＨ、及び他のチャンネルのうち少なくとも一つの伝送に使用される。ＵＥは、持続的スケジューリングデータチャンネルに対するＡＣＫＣＨ、ＣＱＩＣＨ、及び他のチャンネルに対して残っているリソースを使用する。
【００８７】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００８８】
８００・・・データチャンネルスケジューラ
８０１・・・制御器
８０２・・・ＡＣＫＣＨスケジューラ
８０３・・・スケジューリング情報生成器
８０４・・・指示情報生成器
８０５・・・制御チャンネル生成器
９００・・・ＳＣＣＨデコーダ
９０１・・・制御器
９０２・・・ＭＵＸ
９０３・・・指示情報デコーダ
９０４・・・ＡＣＫ／ＮＡＣＫ生成器及びマッパ
９０５・・・ＡＣＫ／ＮＡＣＫ検出器
【図１】
0005457486.tif 000002
【図２】
0005457486.tif 000003
【図３】
0005457486.tif 000004
【図４】
0005457486.tif 000005
【図５】
0005457486.tif 000006
【図６】
0005457486.tif 000007
【図７Ａ】
0005457486.tif 000008
【図７Ｂ】
0005457486.tif 000009
【図８】
0005457486.tif 000010
【図９】
0005457486.tif 000011
【図１０】
0005457486.tif 000012
【図１１】
0005457486.tif 000013
【図１２】
0005457486.tif 000014